(57)【要約】【課題】ガラス枠に対するこじ開け等の強硬な不正行為に対しても、遊技盤への異物の侵入を確実に防ぐことができる弾球遊技機を提供する。【解決手段】遊技盤２０に突設される内レール７２の外壁に沿って、弾性素材からなる防壁部材７２１を取り付ける。防壁部材７２１の前端で外方へ折れ、ガラス枠４が閉じた状態でペアガラス４１０の裏面に密着する折れ部７２２が形成される。ペアガラス４１０と折れ部７２２とが弾性的に接触することで、ガラス枠４がバールでこじ開けられても密着性が維持され、これにより遊技領域への不正な侵入を確実に防止する。【選択図】図５
2007222449.tif 000002
【特許請求の範囲】
【請求項１】
盤面にゲージが形成された遊技盤を支持する前枠と、前記前枠に開閉可能に設けられるとともに前記遊技盤に発射された遊技球を前記ゲージに衝突落下させる遊技空間を前記遊技盤の盤面に対向して画成する透明板が取り付けられたガラス枠とを備える弾球遊技機において、
発射された遊技球を前記遊技盤の上方部へ案内するための前記盤面の一側周部に突設された内レールの外壁に前記透明板に対し密着して弾性接触する防壁部材を設けたことを特徴とする弾球遊技機。
【発明の詳細な説明】
【技術分野】
【０００１】
本発明は、遊技盤への不正なアクセスを防止し得るようにした弾球遊技機に関する。
【背景技術】
【０００２】
例えば弾球遊技機の一つであるパチンコ機は、矩形縦長の外郭枠である木枠内に、遊技盤及び複数の球通路等が形成されたプラスチック製の前枠が開閉可能に設けられるとともに、遊技盤の盤面に対向する透明なペアガラスが取り付けられたガラス枠がヒンジにより前枠の前方において開閉可能に装着されている。
【０００３】
また、前枠の下方部には、賞球や貸球等を受け貯留するための受皿部が形成された皿ユニットが設けられ、更に皿ユニットの右下方部には、遊技盤へ遊技球を発射操作するための回動式の発射ハンドルが設けられている。
【０００４】
パチンコ機は、発射ハンドルの回動操作に応じて遊技球を遊技盤へ打ち出しながら遊技を行うもので、遊技盤に設けられたチャッカー等の入賞口へ遊技球が入球することにより、所定数の遊技球を賞球として皿ユニットへ払い出すよう構成されている。
【０００５】
ところで、ヒンジで結合されているガラス枠と前枠との僅かな隙間から針金やピアノ線等の異物を侵入させ、チャッカー等の入り口付近の釘に引っ掛けて入球口を広げる等のゴト行為（不正行為）が以前から問題となっていた。
【０００６】
このような問題を解決するため、例えば特許文献１には、前枠の両側縁部に内壁部材を形成するとともにガラス枠の裏面側に内壁部材に沿うリブを設けることで、これら枠間の隙間をなくして異物の侵入を防ぐ構造が開示されている。
【０００７】
【特許文献１】特開２００２−２８３２９号公報
【発明の開示】
【発明が解決しようとする課題】
【０００８】
しかし、近年、バール等のより強硬な手段を使ってガラス枠と前枠との隙間をこじ開け、遊技盤への不正なアクセスを試みるゴト行為が問題となっている。従来の不正防止構造においては、バール等の金属棒が使用されるとプラスチックからなるガラス枠や前枠等の枠部材が変形し内壁部材等に隙間が生じてしまうため、かかる強硬な不正行為に対しては、不正な侵入を確実に防御できるものではなかった。
【０００９】
本発明は、こうした従来の問題に鑑みてなされたものであり、バール等を使ったこじ開け等の強硬な不正行為に対しても、遊技盤への異物の侵入を確実に防ぐことができる等の不正防止構造を備えた弾球遊技機を提供することを目的としている。
【課題を解決するための手段】
【００１０】
上述した課題を解決するため、請求項１に記載の発明は、盤面にゲージが形成された遊技盤を支持する前枠と、前記前枠に開閉可能に設けられるとともに前記遊技盤に発射された遊技球を前記ゲージに衝突落下させる遊技空間を前記遊技盤の盤面に対向して画成する透明板が取り付けられたガラス枠とを備える弾球遊技機において、発射された遊技球を前記遊技盤の上方部へ案内するための前記盤面の一側周部に突設された内レールの外壁に前記透明板に対し密着して弾性接触する防壁部材を設けたことを特徴とする。
【００１１】
請求項１に記載の弾球遊技機によれば、ガラス枠が前枠に閉じた状態では、内レールの外壁に設けられた防壁部材が対向する透明板と密着する。これにより、内レールと透明板との隙間がなくなり、内レールの内側に形成される遊技空間への異物の侵入を防止する。
【００１２】
また、仮にガラス枠が強硬にこじ開けられた場合でも、防壁部材が透明板に弾性接触することにより密着性が維持され、遊技空間への異物の侵入を確実に防止することができる。
【発明の効果】
【００１３】
本発明の弾球遊技機によれば、内レールの外壁に設けられた防壁部材が対向するガラス枠の透明板に対して弾性接触することで、仮にガラス枠がこじ開けられたとしてもこれらの密着性が維持される。したがって、遊技盤面へ針金等を侵入させゲージを調整するといった不正行為を確実に防止することができる。
【発明を実施するための最良の形態】
【００１４】
以下、本発明の好適な一実施形態として弾球遊技機の代表例であるパチンコ機をとりあげ、その構成について図面を参照しながら説明する。ここで、図１は実施形態によるパチンコ機１の外観構造を表す正面図である。図２はガラス枠４及び一体皿ユニット５を開放した状態におけるパチンコ機１の内部構造を表した図であって、主に遊技盤２０と前枠３の前面側構造を表している。更に、図３はパチンコ機１の側面図、図４はその背面図である。
【００１５】
パチンコ機１は、本体を遊技島へ固定保持するための外郭枠となる矩形縦長の木枠２と、当該木枠２に対してヒンジ部材３ａにより開閉可能に装着され、通常時には木枠２の前側の開口を閉鎖する前枠３とを備えている。前枠３の前面側には、透明な２枚のガラス板から形成されペアガラス４１０と称される透明板が取り付けられたガラス枠４と、硬質プラスチックで受皿部５ａ等が一体形成された一体皿ユニット５が開閉可能に装着されている。
【００１６】
なお、前枠３内には、前枠３を木枠２側へ閉めることで自動的に施錠し、且つ、一体皿ユニット５とともにガラス枠４を前枠３側へ閉めることでも自動的に施錠する図示しない施錠装置が設けられ、前枠３の前面右方部に形成されている鍵穴６に所定の鍵を挿入して開錠操作をすることにより、これらを開放することができるようになっている。
【００１７】
なお、前枠３の前面であってガラス枠４の裏面部分と対向する一カ所にガラス枠開放スイッチ４２が設けられている。また、前枠３の裏面側であって木枠２の前面部分と対向する一カ所には、前枠開放スイッチ４１（図４参照）が設けられている。ガラス枠開放スイッチ４２は、ガラス枠４が前枠３に対して閉鎖されると押圧された状態でオフ動作し、ガラス枠４が開放されるとオン動作することで、ガラス枠４の閉鎖及び開放状態を検知する。また、前枠開放スイッチ４１は、前枠３が木枠２に対して閉鎖されると押圧された状態でオフ動作し、前枠３が開放されるとオン動作することにより、前枠３の閉鎖及び開放状態を検知する。
【００１８】
はじめに、図１及び図２を参照して、パチンコ機１の前面側構造を詳細に説明する。
【００１９】
ガラス枠４の前面上部には、高輝度の発光ダイオード等のランプ類を内蔵する演出用照明部４ａ、４ｂ、４ｃが配設されている。なお、これらの効果ランプは、例えばガラス枠４の開放エラー等を光で報知するための報知ランプとしても機能する。
【００２０】
ガラス枠４の下方に設けられる一体皿ユニット５には、払い出された遊技球（賞球や貸球）を貯留して整列させる受皿部５ａが形成されている。一体皿ユニット５の前面下方部には、パチンコ機１のゲームに係る効果音又は遊技の進行を音声で案内するためのスピーカ９を備える演出用放音部５ｂが配設されている。
【００２１】
また、一体皿ユニット５の前面略中央には、受皿部５ａに貯留されている遊技球を一体皿ユニット５底部の球排出口５ｅから下方の球箱（ドル箱）等へ排出させる球抜きボタン５ｃ、５ｄが設けられている。なお、左側の球抜きボタン５ｃは、受皿部５ａ上の遊技球を球発射装置５０付近から排出させ、右側の球抜きボタン５ｄは、受皿部５ａの遊技球を賞球払出口２７付近から下方へ排出させる。
【００２２】
一体皿ユニット５の前面右下方部には、受皿部５ａに貯留された遊技球を遊技盤２０へ向けて打ち出す操作をするための発射ハンドル８が配設されている。発射ハンドル８は、内蔵するバネによって反時計回りに常時付勢される回動操作部８ａを有し、遊技者が回動操作部８ａに触れながら付勢力に抗して回動操作部８ａを時計回りに回動操作すると、球発射装置５０が作動して回動操作部８ａの回動角度に応じた打撃力で遊技球が遊技盤２０に打ち出されるようになっている。
【００２３】
また、一体皿ユニット５の前面左上方部には、球貸スイッチ７ａと返却スイッチ７ｂとを備えるＣＲ操作パネル７が配設されている。球貸スイッチ７ａは、パチンコ機１に隣接する図示しないＣＲユニットから遊技球の貸し出し操作を行うためのスイッチである。球貸スイッチ７ａが押圧操作される毎に、ＣＲユニットに挿入された例えば磁気カードに記憶される度数の範囲内で、所定個数の遊技球が一体皿ユニット５へ払い出される。返却スイッチ７ｂは、ＣＲユニットに挿入されている上記磁気カードを排出して返却するためのスイッチである。
【００２４】
前枠３は、木枠２と略同一寸法形状の枠部と、枠部の内側において球通路及び球集合樋等とが一体的に形成された硬質プラスチック製の基枠体３０からなり、ガラス枠４と対向する基枠体３０の略中央には、遊技盤２０を着脱可能に収容するための開口する遊技盤収容部３１が形成されている。
【００２５】
なお、基枠体３０の前面側には回転ロック部材３０１が複数個、適宜の位置に配置されている。遊技盤２０は、各回転ロック部材３０１と対応する位置に形成された係止孔２０ａに当該回転ロック部材３０１を挿通させて９０度回転させることで、基枠体３０の遊技盤収容部３１に保持される。そして、ガラス枠４が前枠３側へ閉じられた状態では、ガラス枠４に取り付けられている透明なペアガラス４１０が遊技盤２０の盤面に対して所定の間隔で対向し、これら対向配置されたペアガラス４１０と盤面とにより、遊技球を落下移動させる遊技領域空間が画成される。
【００２６】
遊技盤２０は、所定板厚の積層合板の表面に絵柄が描かれたセルが貼り付けられて盤面が形成され、その左側（ガラス枠４がヒンジ結合する側）周部に、ステンレス鋼板等からなる帯状の外レール７１が取り付けられている。また、外レール７１より内方の盤面に形成される発射路面２９を挟むように、所定長さの内レール７２が外レール７１に沿って遊技盤２０の盤面に突出して設けられている。そして、内レール７２よりも更に内側の盤面領域がパチンコ遊技の遊技領域となっている。
【００２７】
なお、内レール７２の発射路面２９側の壁面には、弾性素材からなる本発明に係る防壁部材７２１が取り付けられている。
【００２８】
この遊技領域として画される遊技盤２０の盤面には、複数の釘が所定の配列パターンで打設されたゲージが形成されており、遊技盤２０へ発射された遊技球が複数の釘に衝突しながら偶発的にその方向を変えて遊技領域空間内を落下するように構成されている。
【００２９】
また、遊技盤２０の盤面には、入賞口に遊技球が入球することで入賞となる複数のチャッカー２１ａ、２１ｂと、同じく入賞口に入球することで大当たり等の特別遊技状態への抽選を起動させる始動チャッカー２２と、特別遊技状態において一定時間又は一定数の遊技球が入球するまで開放し遊技球が入ると通常よりも多くの賞球を払い出すアタッカー２３等の入賞役物が適宜の位置に配置されている。
【００３０】
チャッカー２１ａ、２１ｂの入賞口には、入球した遊技球を検出する入賞球センサが取り付けられている。この入賞球センサは、例えば、磁気的、光学的、電気的手段等により遊技球の通過を非接触に検出する近接センサから形成される。
【００３１】
始動チャッカー２２は、いわゆる電動チューリップ構成の入賞役物であり、左右の羽部材を開閉させることで、ここへの入賞の確率を変動させることができるように構成されている。なお、この始動チャッカー２２の入賞口内にも上述したチャッカー２１ａ、２１ｂと同様の入賞球センサ（始動口入賞球センサ）が設けられ、始動チャッカー２２への入球が検出されると、パチンコ機１の後述する主制御基板６０は、例えばアタッカー２３を開いて大当たり（確変当たり）等の通常よりも有利な条件でゲームができる特別遊技状態へ移行する抽選を行う。
【００３２】
遊技盤２０の盤面略中央には、液晶表示ユニット５３を透視可能とするとともに例えばセンター役物を構成する飾り部材２５が設けられている。上述の抽選し結果は、液晶表示ユニット５３によって演出表示され、例えば特定の図柄を揃えて表示することで大当たり等の特別遊技状態への当選を演出する。
【００３３】
アタッカー２３は、中央に横長方形状の開口からなる大入賞口を有し、この大入賞口をソレノイド（大入賞口ソレノイド）により開閉可能とする開閉扉が取り付けられている。通常遊技状態においてはこの開閉扉は閉じられ、上述の始動チャッカー２２への入球の際に行われる抽選の結果、大当たり等の特別遊技状態が成立したときに開閉扉が前方に倒され開放する。
【００３４】
なお、アタッカー２３の大入賞口へ遊技球が落入することにより、他の入賞役物よりも多くの遊技球が払い出される。このため、特別遊技状態においては、遊技者は通常よりも高い入賞確率でゲームを行うことができる。なお、大入賞口内には、左右に二つの入賞口が設けられ、いずれか一方の入賞口が特別領域を形成し、例えば大当たり当選時には、この特別領域の入賞口へ遊技球が落入する限り継続して予定される最大回数まで特別遊技状態を続けることができる。なお、アタッカー２３のそれぞれの入賞口においても、チャッカー２１ａ、２１ｂと同様の近接センサからなる入賞球センサ及び特定領域入賞球センサが設けられている。
【００３５】
遊技盤２０の盤面下方部には、何れの入賞口に入球せずに落下したアウト球を集合して排出させるアウト口２４が設けられている。
【００３６】
次に、基枠体３０の下方部には遊技補助盤３０ａが取り付けられている。この遊技補助盤３０ａの右上方部には、前面に開口する賞球払出口２７が形成され、当該賞球払出口２７に向けて底面が緩やかな下り勾配を有する貯球タンク２６が遊技補助盤３０ａの内側奥に収容されて取り付けられている。遊技において入賞時に払い出される賞球、又は貸し出し操作によって貸し出される貸球は、この貯球タンク２６を通って賞球払出口２７から受皿部５ａへ払い出される。また、ファール球その他のこぼれ球が貯球タンク２６で回収されて受皿部５ａへ戻されるように構成されている。
【００３７】
また、遊技補助盤３０ａの左方部には球発射装置５０が設けられている。球発射装置５０は、発射ハンドル８の回動操作に応じて、一体皿ユニット５の受皿部５ａに貯留されている遊技球を１球ずつ遊技盤２０の遊技領域へ打ち出す装置である。
【００３８】
球発射装置５０は、打撃ハンマ５０２のアームが球発射ソレノイド５０１に連結しており、球発射ソレノイド５０１を駆動することで、打撃ハンマ５０２の槌部が回動して遊技球を打撃し発射させる。
【００３９】
また、遊技補助盤３０ａには、球発射装置５０により発射された遊技球を遊技盤２０へ案内する発射レール５０３や、楽音や案内音声等の演出効果音を発生するスピーカ９等が取り付けられている。なお、遊技補助盤３０ａは、一体皿ユニット５の裏側に位置し、常時は閉鎖状態に保持される一体皿ユニット５によりその表面側が覆われている。
【００４０】
次に、図３及び図４を参照してパチンコ機１の裏面側の構造を説明する。
【００４１】
上述した遊技盤２０、球通路、その他各種機器等を装着支持する前枠３は、パチンコ機１の裏面側において、木枠２から内側に向けて張り出した係止部２ａに前枠３の施錠装置によって上下に可動する係止フック３０４が係止して木枠２を閉鎖する状態で固定されている。
【００４２】
また、前枠３の裏面側には、賞球払出装置５２等の各種機器、また主制御基板６０等の各種制御基板が取り付けられた裏セット盤１０が着脱可能に取り付けられている。
【００４３】
すなわち、前枠３の適宜の箇所には回転ロック部材３０２が設置され、これら回転ロック部材３０２に対応する裏セット盤１０の所定位置に横長の係止口１０１が形成されている。裏セット盤１０は、係止孔１０１に各回転ロック部材３０２を挿通させて当該回転ロック部材３０２を９０度回転させることで、基枠体３０の裏面に取り付けられている。
【００４４】
裏セット盤１０には、パチンコ機１の上方に設備される図示しない球供給装置等から予備賞球が供給されこれを貯留するための予備球タンク５１が取り付けられている。また、裏セット盤１０には、予備球タンク５１から賞球払出装置５２へ予備賞球を案内する予備賞球通路１０２と、賞球払出装置５２から払い出された賞球又は貸球を一体皿ユニット５の受皿部５ａへ案内する賞球通路１０５と、入賞口へ入球した遊技球及びアウト口２４を介して回収されたアウト球を集合させて下方の回収球タンク（図示略）へ排出させる球排出通路１０６と、賞球払出装置５２により球抜きされた予備賞球を球排出通路１０６へ案内して上記回収球タンクへ排出させる球抜き通路１０７等の球通路が形成されている。
【００４５】
なお、遊技盤２０の各入賞口へ落入した遊技球、及びアウト口２４から排出された遊技球（これらを「遊技済み球」という）が、遊技盤２０の裏面と裏セット盤１０の前面との間の空間を落下して、遊技補助盤３０ａの裏面側に形成された球集合樋に集められる。そして、これら遊技済み球が裏セット盤１０に形成されている球排出通路１０６を通って遊技島側の設備である回収球タンクへと回収されるようになっている。
【００４６】
すなわち、裏セット盤１０が前枠３に取り付けられた状態において、球排出通路１０６の開口する上端が、前枠３の裏面側に形成された球集合樋の終端とアウト口２４とに連通している。したがって、各入賞口へ入球し球集合樋に集められた遊技球及びアウト口２４に入球したアウト球が、球排出通路１０６に集められ、下方底部の球排出通路出口１０６ａから落下して回収される。
【００４７】
裏セット盤１０の上部に形成された予備賞球通路１０２は、予備球タンク５１に接続し右方へ緩やかに下る傾斜樋部１０３と、終端で賞球払出装置５２と接続し略Ｓ字状に屈曲するＳ字レール部１０４とに概ね区分けされる。
【００４８】
傾斜樋部１０３の底面には、遊技球が流下する方向に沿ってリブ状の仕切り壁１０３ａが中央に設けられ、これにより２列の球通路が形成されている。また、傾斜樋部１０３内に突出して、球均し機構５４の球均し部材５４１が遊技球の流下方向に沿って２カ所に回動自在に吊り下げられている。かかる構成により、傾斜樋部１０３の底面から一定高さ以上で流下する遊技球（予備賞球）は、球均し部材５４１に衝突ながら移動することでほぼ均一に均され、リブ状の仕切り壁１０３ａによって２列に整列して効率良くＳ字レール部１０４へと転送される。Ｓ字レール部１０４は、下方に向かいながら二段に屈曲する球通路から形成され、これにより、予備賞球通路１０２内に積み重ねられて待機する遊技球が賞球払出装置５２に与える重圧を緩和している。
【００４９】
傾斜樋部１０３の終端近傍には、必要に応じてこの球通路を手動で閉鎖し予備賞球の流れを停止可能とする球止め機構５５が設けられている。
【００５０】
また、裏セット盤１０には、予備賞球通路１０２のＳ字レール部１０４に接続して賞球払出装置５２が取り付けられている。賞球払出装置５２は、Ｓ字レール部１０４の終端に繋がって予備賞球を受容する受容口と、賞球又は貸球を賞球通路１０５へ払い出す払出口と、球抜き動作時に予備賞球を球排出通路１０６へ排出する払出口が設けられる。
【００５１】
なお、賞球払出装置５２は、球払出モータ等を内蔵し、払出制御基板６２から出力される払出指令信号に従って球払出モータが所定の回転方向に作動すると、当該払出指令信号に基づく個数の遊技球（賞球又は貸球）を賞球通路１０５へ払い出し、払出制御基板６２から球抜きの指令信号を入力すると、球払出モータが他方の回転方向に作動して、予備賞球通路１０２内の遊技球を全て球抜き通路１０７へ排出させるようになっている。
【００５２】
裏セット盤１０に形成される賞球通路１０５は、賞球払出装置５２を始端として電源装置ユニット６３の上方において屈曲し、左方へ緩やかに下りながら前面に開口する賞球通路出口１０５ａへと連通している。賞球通路出口１０５ａは、前枠３の遊技補助盤３０ａに収容されている貯球タンク２６の一端に密接し、これにより、賞球払出装置５２から払い出される賞球又は貸球が賞球通路１０５及び貯球タンク２６を経由して、一体皿ユニット５の受皿部５ａへ払い出されるように形成されている。
【００５３】
裏セット盤１０の略中央には長方形の開口部が形成されており、裏セット盤１０が前枠３に装着された状態においては、遊技盤２０の裏面から突出する液晶表示ユニット５３とともにその裏面に取り付けられたサブ制御基板６１を開口部に受容する。そして、これら液晶表示ユニット５３とサブ制御基板６１を覆うように、半透明なプラスチック製のカバー部材１０８が取り付けられている。
【００５４】
また、裏セット盤１０には、賞球及び貸球の払出し制御等を行う払出制御基板６２と、電源装置ユニット６３と、複数のコネクタが取り付けられて制御信号や電力の中継を行う遊技盤中継基板６４と、パチンコ機１の稼働状態若しくは遊技機情報をホール（遊技店舗）の中央の管理機器である例えばホールコンピュータへ出力するための外部端子基板６５等が取り付けられ、これら各種機器及び電子回路基板がワイヤーハーネス等で電気的に接続される。
【００５５】
これらパチンコ機１に設けられる制御基板によって制御される各種機器の動作について次に説明する。
【００５６】
主制御基板６０は、演算装置としてのＣＰＵと半導体メモリであるＲＯＭ、及びＲＡＭ等の電子部品が搭載されており、ＲＯＭに予め記憶されているシステムプログラムに従ってＣＰＵが入賞役及び演出の抽選等の演算処理を実行してパチンコ遊技が展開される。また、主制御基板６０には、サブ制御基板６１と、払出制御基板６２と、遊技盤中継基板６４等の各制御基板がワイヤーハーネスで接続され、これら制御基板へ指令信号を送信して各制御基板に分散制御を行わせることによりパチンコ機１全体を統括制御している。
【００５７】
ここで、サブ制御基板６１は、主制御基板６０からの演出制御信号に従い、ゲームの進行に応じて液晶表示ユニット５３に図柄等の画像を表示させる制御と、スピーカ９に対して演出効果音を鳴動させる制御と、演出用照明部４ａ、４ｂ、４ｃ等のランプ類を点灯・点滅させる制御等を行っている。
【００５８】
また、主制御基板６０には、チャッカー２１ａ、２１ｂ及び始動チャッカー２２等に設けられている入賞球センサが遊技盤中継基板６４を介して接続され、主制御基板６０のＣＰＵがこれらの作動を検出すると、所定数の賞球を払い出すべき旨の指令信号を払出制御基板６２へ送出する。また、主制御基板６０は、始動チャッカー２２の始動口入賞球センサの作動を検知すると、ハードウエア抽選回路を起動して入賞役の抽選を行う。このとき、主制御基板６０は、サブ制御基板６１に対し演出制御信号を送出することで、飾り部材２５に設けられた液晶表示ユニット５３に複数図柄を変動表示させたり、演出用放音部５ｂのスピーカ９に入賞に係る効果音を発生させたり、演出用照明部４ａ、４ｂ、４ｃを点灯又は点滅等させることで、入賞への期待を高める演出を行っている。
【００５９】
なお、大当たり等の入賞役が当選すると、主制御基板６０は特別遊技状態へ遊技の処理を移行させ、遊技盤中継基板６４を制御して大入賞口ソレノイドを作動し一定の要件下においてアタッカー２３の開閉扉を開放させる。これにより、特別遊技状態ではアタッカー２３への入球が可能となり、主制御基板６０は、アタッカー２３内に設けられている入賞球センサ又は特定領域入賞球センサが入賞口への入球を検出する毎に、所定数の賞球を払い出すべき旨の指令信号を払出制御基板６２へ送出する。
【００６０】
払出制御基板６２には、賞球払出装置５２の球払出モータと、カウントセンサとが接続されている。払出制御基板６２は、主制御基板６０から所定数の賞球を払い出すべき旨の指令信号を受信すると、賞球払出装置５２の球払出モータを作動して、実際に払い出された賞球をカウントセンサがカウントしながら所定数の賞球の払い出しを行っている。
【００６１】
また、払出制御基板６２には、ＣＲ接続端子板を介してＣＲ操作パネル７に設けられた球貸スイッチ７ａが接続されている。すなわち、ＣＲ接続端子板は、球貸スイッチ７ａの操作入力を検知すると、所定数の貸球を払い出すべき旨の指令信号を払出制御基板６２に対して出力し、これに応じて払出制御基板６２が賞球払出装置５２の球払出モータを制御することで、所定数の貸球の払い出しを行っている。
【００６２】
更に、払出制御基板６２は、外部端子基板６５を介して予備球タンク５１に設けられるタンク球切れスイッチからの球切れ検出信号を入力し、予備球タンク５１内の球切れ状態が所定時間以上継続しているときには、賞球払出装置５２の作動を停止するように制御している。
【００６３】
球発射装置５０の下方部に設けられている発射制御基板６６は、発射ハンドル８の操作に応じて球発射装置５０の動作を制御する制御基板であり、発射ハンドル８に内蔵されるタッチセンサと、ポテンショメータと、停止スイッチと、球発射装置５０の球発射ソレノイド５０１等が接続されている。
【００６４】
発射ハンドル８に設けられるタッチセンサは、例えば静電容量型のセンサから形成され、遊技者等が発射ハンドル８の回動操作部８ａを触れている間、検出信号（オン信号）を発射制御基板６６へ送出する。ポテンショメータは、回動操作部８ａが回動操作された回転角度に応じて電気抵抗が変化する。このため、例えば一定の電流をポテンショメータに供給することで、発射ハンドル８の回動操作量に応じた電圧信号を発射制御基板６６は得ることができる。停止スイッチは、遊技球の打ち出しを停止させるために発射ハンドル８に設けられた押圧式のスイッチである。
【００６５】
発射制御基板６６は、遊技者等が発射ハンドル８に触れタッチセンサがこれを検出している間、ポテンショメータにより検出される回動操作部８ａの回動角度に応じたトルクで球発射装置５０の球発射ソレノイド５０１を作動させる。これにより、発射ハンドル８の回動操作量に応じた打撃力で遊技球を遊技盤２０へ打ち出す。
【００６６】
また、発射制御基板６６は、発射ハンドル８の停止スイッチの作動を検出すると、その間は遊技者等が発射ハンドル８に触れていても球発射ソレノイド５０１の作動を規制する。また、発射制御基板６６は、払出制御基板６２に接続される受皿満タンスイッチ５６が、受皿部５ａに保持される遊技球の満杯状態を検知した場合も、球発射装置５０の作動を規制してゲームを中断させる。
【００６７】
外部端子基板６５は、ホールの例えばホールコンピュータと配線ケーブルで接続され、該ホールコンピュータに対し当該パチンコ機１の稼動状態等を報知するための出力端子基板として主に機能する。
【００６８】
外部端子基板６５には、上述した主制御基板６０及び払出制御基板６２等が接続され、これらの制御基板から当該パチンコ機１における現在の遊技機情報である例えば大当たり（特別遊技）状態、賞球払出装置５２の作動状態（遊技球の払い出し中か否か）等の情報を取得して、上述したホールコンピュータへ出力し報知する。
【００６９】
次に、かかる構造のパチンコ機１に設けられる本発明の特徴部分である不正防止構造を説明する。ここで、図５は、不正防止構造を詳細に表した断面斜視図、図６は、ガラス枠４が前枠３に閉じた状態での不正防止構造部分の横断面図である。
【００７０】
図５を参照し、上述したように遊技盤２０には、内レール７２が突出して設けられている。ここで、内レール７２とは、遊技盤２０の左外縁部分に設けられた外レール７１と対向し、球発射装置５０から発射された遊技球を遊技領域へ案内する発射路面２９の内側の壁を構成するレールであり、発射路面２９側、つまり内レール７２の外壁に沿って防壁部材７２１が小ネジ等を介して取り付けられている。
【００７１】
防壁部材７２１は、例えば硬質の合成樹脂等の弾性素材から形成され、内レール７２の前端付近から外方（図示しない外レール７１側）へ約４５度に折れる折れ部７２２が一体形成されている。
【００７２】
図６に示されるように、ガラス枠４が前枠３に閉じた状態では、防壁部材７２１の折れ部７２２がほぼ９０度に弾性変形してペアガラス４１０の裏面に密着する。これにより、内レール７２の前端とペアガラス４１０との間に隙間がなくなり、例えばガラス枠４と前枠３との間から挿入された針金Ｗ等に対して、ゲージ等が形成された遊技領域への侵入を阻止することができる。
【００７３】
更には、仮にガラス枠４と前枠３とがバール等を使ってこじ開けられたとしても、弾性変形した折れ部７２２がペアガラス４１０に追従して立ち上がり密着状態が維持されるため、内レール７２の前端とペアガラス４１０との間に隙間を生じさせることもない。したがって、かかるバール等を使った強硬な不正行為に対しても、遊技領域が形成された遊技盤２０内への異物の侵入を確実に防ぐことができる。
【図面の簡単な説明】
【００７４】
【図１】本発明の一実施形態によるパチンコ機の外観構造を表した正面図である。
【図２】図１に示したパチンコ機のガラス枠及び一体皿ユニットを開放した状態において内部構造を表した図である。
【図３】図１に示したパチンコ機の側面図である。
【図４】図１に示したパチンコ機の背面図である。
【図５】図１に示したパチンコ機に備えられる不正防止構造の一実施形態を表した断面斜視図である。
【図６】図５に示した不正防止構造の横断面図である。
【符号の説明】
【００７５】
１…パチンコ機                              ２…木枠
３…前枠                                    ３ａ…ヒンジ部材
４…ガラス枠                                ４ａ、４ｂ、４ｃ…演出用照明部
５…一体皿ユニット                          ５ａ…受皿部
５ｂ…演出用放音部                          ５ｃ、５ｄ…球抜きボタン
５ｅ…球排出口                              ６…鍵穴
７…ＣＲ操作パネル                          ７ａ…球貸スイッチ
８…発射ハンドル                            ８ａ…回動操作部
９…スピーカ                                １０…裏セット盤
２０…遊技盤                                ２０ａ…係止孔
２１ａ、２１ｂ…チャッカー                  ２２…始動チャッカー
２３…アタッカー                            ２４…アウト口
２５…飾り部材                              ２６…貯留タンク
２７…賞球払出口                            ２９…発射路面
３０…基枠体                                ３０ａ…遊技補助盤
３１…遊技盤収容部                          ４１…前枠開放スイッチ
４２…ガラス枠開放スイッチ                  ５０…球発射装置
５１…予備球タンク                          ５２…賞球払出装置
５３…液晶表示ユニット                      ５４…球均し機構
６０…主制御基板                            ６１…サブ制御基板
６２…払出制御基板                          ６３…電源装置ユニット
６４…遊技盤中継基板                        ６６…発射制御基板
７１…外レール                              ７２…内レール
１０１…係止口                              １０２…予備賞球通路
１０３…傾斜樋部                            １０４…Ｓ字レール部
１０５…賞球通路                            １０５ａ…賞球通路出口
１０６…球排出通路                          １０６ａ…球排出通路出口
１０７…球抜き通路                          １０８…カバー部材
３０１、３０２…回転ロック部材              ３０４…係止フック
４１０…ペアガラス                          ５０１…球発射ソレノイド
５０２…打撃ハンマ                          ５０３…発射レール
７２１…防壁部材                            ７２２…折れ部
【図１】
2007222449.tif 000003
【図２】
2007222449.tif 000004
【図３】
2007222449.tif 000005
【図４】
2007222449.tif 000006
【図５】
2007222449.tif 000007
【図６】
2007222449.tif 000008